(57)【特許請求の範囲】
【請求項１】
４本の八木アンテナを４段スタック構造とし、電波の到来方向に応じて前記アンテナの向きを操作することが可能なアンテナ支持装置であって、
三脚と、
前記三脚の上端部に水平方向回転自由に連結されて上方に延びる支持ポール部材と、
前記支持ポール部材の上端部に、前記三脚に対して水平方向及び垂直方向回転自由に支持され、前記４段スタック構造のアンテナをその重心が前記水平方向回転の中心及び前記垂直方向回転の中心と略一致するように着脱自在に装着する装着部を有すると共に、操作アームが連結されたアンテナ支持部材と、
を含んで構成したことを特徴とするアンテナ支持装置。
【発明の詳細な説明】
【０００１】
【発明の属する技術分野】
本発明は、指向性を有したアンテナを、水平及び垂直方向回転自由に支持するアンテナ支持装置に関する。
【０００２】
【従来の技術】
マラソン中継等では、中継車から送信された電波を、ビルの屋上や山等の高所に設置したアンテナで受信して、更に別の中継所や放送局に送信する方式が採られている。
【０００３】
したがって、前記アンテナを水平及び垂直方向回転自由に支持する三脚に装着し、中継車等の移動体からの電波を感度よく受信できる方向に向けるように、操作している。
【０００４】
具体的には、４本の八木アンテナ等を取付パイプを用いて組付けた立体構造のアンテナを、三脚に固定する場合、該アンテナを垂直方向に回転したときに三脚の脚にアンテナ等が当たらないように、三脚の上端部に上方に延びる支持ポール部材を連結し、該支持ポール部材の上端部にアンテナを装着するようにしていた[図４（Ａ），（Ｂ）参照]。
【０００５】
しかしながら、このような従来のアンテナ支持構造では、アンテナを垂直方向に回転させると、アンテナの重心と回転中心とが離れているため、以下のような問題を生じていた[図４（Ｃ）参照]。
【０００６】
▲１▼  操作するのに大きな力が必要となる。
▲２▼  三脚が不安定である。
▲３▼  アンテナの移動半径も大きくなるので、オペレータが三脚から離れて操作する必要がある。
【０００７】
▲４▼  アンテナを支持する支持ポール部材に、大きなモーメントが加わるので、支持ポール部材の強度を高めるため、重量が大きくなる。
本発明は、このような従来の課題に着目してなされたもので、上記の問題を悉く解決したアンテナ支持装置を提供することを目的とする。
【０００８】
【課題を解決するための手段】
このため、請求項１に係る発明は、
４本の八木アンテナを４段スタック構造とし、電波の到来方向に応じて前記アンテナの向きを操作することが可能なアンテナ支持装置において、
三脚と、
前記三脚の上端部に水平方向回転自由に連結されて上方に延びる支持ポール部材と、
前記支持ポール部材の上端部に、前記三脚に対して水平方向及び垂直方向回転自由に支持され、前記４段スタック構造のアンテナをその重心が前記水平方向回転の中心及び前記垂直方向回転の中心と略一致するように着脱自在に装着する装着部を有すると共に、操作アームが連結されたアンテナ支持部材と、
を含んで構成したことを特徴とする。
【０００９】
請求項１に係る発明によると、４本の八木アンテナを４段スタック構造とし、電波の到来方向に応じて前記アンテナの向きを操作することが可能なアンテナ支持装置において、装置に支持される前記４段スタック構造のアンテナの重心が、支持部材の水平方向の回転中心及び垂直方向の回転中心と略一致するため、オペレータが、僅かな力でアンテナを回転操作することができ、かつ、三脚の支持状態が安定する。なお、水平方向回転操作時には、支持ポール部材がアンテナを装着した支持部材と共に、三脚に対して水平方向に回転する。
【００１０】
また、装着されたアンテナの中心部で回転させるので、回転半径が小さくてすみ、オペレータは、回転のために移動しなくてすむ。
また、支持ポール部材もアンテナの重心を支えているため、アンテナが回転してもモーメントが加わらず、垂直荷重だけなので、強度を必要としないため、軽量化できる。
【００２１】
【発明の実施の形態】
以下に本発明の実施形態を図に基づいて説明する。
図１、図２は、第１の実施の形態を示し、三脚１は、各脚の下端部が２重パイプ構造によって伸縮自由に構成され、各脚の長さを調節することによって山等の傾斜面に設置する場合でも支持部を水平に調整できるようになっている。
【００２２】
前記三脚１の上端部には、支持台２Ａ上に回転台２Ｂが水平方向回転自由に連結された水平回転機構２が設けられ、前記回転台２Ｂ上に円筒状の支持ポール部材３が垂直に立てて連結されている。
【００２３】
前記支持ポール部材３の上端部にアンテナを支持するアンテナ支持部材４が、垂直方向回転自由に連結されている。該アンテナ支持部材４には、前記垂直方向回転軸近傍に操作アーム５が連結されており、該操作アーム５の連結部分には、アンテナの受信レベルを表示するレベルメータ６が一体に装着されている。
【００２４】
使用時には、前記支持部材４に、例えば、既述したように４本の八木アンテナａを取付パイプを用いて組付けた立体構造のアンテナＡを、その中心部分（重心とも一致する）を図示のようにＵ字ネジ部材１１を支持部材４に形成された装着用の孔に通し、蝶ナット１２で締結して支持する。
【００２５】
そして、オペレータＯが前記操作アーム５を持って、受信する電波の発信源（中継車等）にアンテナＡを向け、前記レベルメータ６の表示を見ながら、最も受信レベルが大きくなる方向を向くように操作する。
【００２６】
受信された電波は、図示しない送受信器で処理された後、送信機能を兼有するアンテナＡから別の中継所や放送局等に送信される。
かかる構造を有したアンテナ支持装置によれば、操作時の状態を示す図３を参照して明らかなように、支持されるアンテナＡの重心と回転中心とが略一致するため、以下のような効果が得られる。
【００２７】
▲１▼  オペレータＯが、僅かな力でアンテナＡを回転操作することができる。
▲２▼  三脚の支持状態が安定する。
▲３▼  アンテナＡの中心部で回転させるので、回転半径が小さくてすみ、オペレータＯは、回転のために移動しなくてすむ。したがって、上記操作力軽減効果と相俟って操作疲労が大幅に軽減する。
【００２８】
▲４▼  支持ポール部材３もアンテナＡの重心を支えているため、アンテナＡが回転してもモーメントが加わらず、垂直荷重だけなので、強度を必要としないため、軽量化できる。
【００２９】
この他、レベルメータ６も回転中心近傍に設けられるため、操作によっても殆ど定位置にあるので表示を視認しやすく、操作疲労を更に軽減できる。
【図面の簡単な説明】
【図１】第１の実施の形態に係るアンテナ支持装置を示す正面図。
【図２】同上のアンテナ支持装置を示す側面図。
【図３】同上のアンテナ支持装置の操作時の様子を示す図。
【図４】立体構造に組付けしたアンテナと、該アンテナを支持する従来装置の概要構成及びその操作時の様子を示す図。
【符号の説明】
１      三脚
２      水平回転機構
３      支持ポール部材
４      アンテナ支持部材
５      操作アーム
６      レベルメータ
１１      Ｕ字ネジ部材
１２      蝶ナット
ａ，Ａ      アンテナ
【図１】
0003922851.tif 000002
【図２】
0003922851.tif 000003
【図３】
0003922851.tif 000004
【図４】
0003922851.tif 000005